(57)【特許請求の範囲】
【請求項１】
支持部材に対し開閉可能に支持された扉体と、
前記支持部材に対し前記扉体を施錠する施錠機構とを備えた遊技機であって、
前記施錠機構は、
前記支持部材又は前記扉体の一方に設けられた施錠装置と、他方に設けられた被係合手段とを備え、
前記施錠装置が、
鍵により操作される錠部材と、
前記錠部材の動作に連動して、少なくとも鉤部施錠側特定位置と鉤部解錠側特定位置との間で変位可能な鉤部とを備え、
前記被係合手段が、
少なくとも係合部施錠側特定位置と係合部解錠側特定位置との間で変位可能な可動係合部を備え、
前記鉤部と前記可動係合部とが係合状態となることにより、前記扉体の開放が規制される施錠状態となり、
前記鉤部と前記可動係合部とが非係合状態となることにより、前記扉体の開放が許容される解錠状態となる構成であって、
前記鍵を用いずに前記扉体を前記支持部材に対し閉鎖する際には、
少なくとも前記可動係合部が前記係合部解錠側特定位置側へ変位した状態となることにより、前記鉤部が前記鉤部解錠側特定位置まで達することなく、前記鉤部及び前記可動係合部が前記係合状態となり、
前記施錠状態において、前記鍵による前記錠部材の特定の操作があった場合には、少なくとも前記鉤部が前記鉤部解錠側特定位置側へ変位することにより、前記可動係合部が前記係合部解錠側特定位置まで達することなく、前記鉤部及び前記可動係合部が前記非係合状態となり、
前記施錠状態で、かつ、前記鍵による前記錠部材の特定の操作がない状態において、
少なくとも前記可動係合部が前記係合部施錠側特定位置にある場合には、前記鉤部に対し直接外力がかかることにより、当該鉤部のみが前記鉤部解錠側特定位置側へ変位して、前記施錠状態における当該鉤部の変位限度位置まで達した場合でも、当該変位限度位置よりも前記鉤部解錠側特定位置側への変位を規制する鉤部規制手段により、当該鉤部及び前記可動係合部の係合状態が維持され、
少なくとも前記鉤部が前記鉤部施錠側特定位置にある場合には、前記可動係合部に対し直接外力がかかることにより、当該可動係合部のみが前記係合部解錠側特定位置側へ変位して、前記施錠状態における当該可動係合部の変位限度位置まで達した場合でも、当該変位限度位置よりも前記係合部解錠側特定位置側への変位を規制する可動係合部規制手段により、当該可動係合部及び前記鉤部の係合状態が維持され、
前記可動係合部規制手段は、
前記施錠状態において前記可動係合部の変位を規制する第１状態と、
少なくとも前記扉体を前記支持部材に対し閉鎖する際に、前記鉤部及び前記可動係合部が前記係合状態となるのを許容する第２状態とに可変であることを特徴とする遊技機。
【発明の詳細な説明】
【技術分野】
【０００１】
本発明は、スロットマシン等の遊技機に関するものである。
【背景技術】
【０００２】
遊技機の一種として例えばスロットマシンがある。一般に、スロットマシンは、前面が開放された箱状の筐体と、当該筐体の前面側に開閉可能に枢支された前扉とを備え、この内部に、図柄の付された複数のリールよりなる可変表示装置や、遊技制御を行う制御装置、メダルを払い出すホッパ装置などが収容されている。
【０００３】
一般にスロットマシン等の遊技機では、前扉（扉体）が筐体（支持部材）に対し開閉可能に設けられている。そのため、無断で前扉を開放できないように、遊技機には施錠装置が設けられている。かかる施錠装置としては、専用の鍵を用いて操作されるシリンダ錠と、筐体に設けられた複数の被係止部に対しそれぞれ係脱可能に設けられた複数の鉤部材と、鍵によるシリンダ錠の解錠操作に応じて複数の鉤部材を連動させる摺動杆とを備えたものが知られている（例えば特許文献１参照）。
【先行技術文献】
【特許文献】
【０００４】
【特許文献１】特開２０００−２８８２１４号公報
【発明の概要】
【発明が解決しようとする課題】
【０００５】
しかしながら、上記従来技術では、鉤部材に対して線材を引っ掛け、鉤部材を解錠方向へ変位させて、前扉を解錠されてしまうおそれがあった。
【０００６】
尚、かかる課題は、スロットマシン等の回胴遊技機に限らず、パチンコ機など、扉体と支持部材とを施錠する施錠機構を備えた他の遊技機にも該当する問題である。
【０００７】
本発明は、上記例示した課題等を解決するためになされたものであり、その目的は、線材等を用いた不正解錠に対する防御性能に優れた遊技機を提供することにある。
【課題を解決するための手段】
【０００８】
本発明に係る遊技機は、
支持部材に対し開閉可能に支持された扉体と、
前記支持部材に対し前記扉体を施錠する施錠機構とを備えた遊技機であって、
前記施錠機構は、
前記支持部材又は前記扉体の一方に設けられた施錠装置と、他方に設けられた被係合手段とを備え、
前記施錠装置が、
鍵により操作される錠部材と、
前記錠部材の動作に連動して、少なくとも鉤部施錠側特定位置と鉤部解錠側特定位置との間で変位可能な鉤部とを備え、
前記被係合手段が、
少なくとも係合部施錠側特定位置と係合部解錠側特定位置との間で変位可能な可動係合部を備え、
前記鉤部と前記可動係合部とが係合状態となることにより、前記扉体の開放が規制される施錠状態となり、
前記鉤部と前記可動係合部とが非係合状態となることにより、前記扉体の開放が許容される解錠状態となる構成であって、
前記鍵を用いずに前記扉体を前記支持部材に対し閉鎖する際には、
少なくとも前記可動係合部が前記係合部解錠側特定位置側へ変位した状態となることにより、前記鉤部が前記鉤部解錠側特定位置まで達することなく、前記鉤部及び前記可動係合部が前記係合状態となり、
前記施錠状態において、前記鍵による前記錠部材の特定の操作があった場合には、少なくとも前記鉤部が前記鉤部解錠側特定位置側へ変位することにより、前記可動係合部が前記係合部解錠側特定位置まで達することなく、前記鉤部及び前記可動係合部が前記非係合状態となり、
前記施錠状態で、かつ、前記鍵による前記錠部材の特定の操作がない状態において、
少なくとも前記可動係合部が前記係合部施錠側特定位置にある場合には、前記鉤部に対し直接外力がかかることにより、当該鉤部のみが前記鉤部解錠側特定位置側へ変位して、前記施錠状態における当該鉤部の変位限度位置まで達した場合でも、当該変位限度位置よりも前記鉤部解錠側特定位置側への変位を規制する鉤部規制手段により、当該鉤部及び前記可動係合部の係合状態が維持され、
少なくとも前記鉤部が前記鉤部施錠側特定位置にある場合には、前記可動係合部に対し直接外力がかかることにより、当該可動係合部のみが前記係合部解錠側特定位置側へ変位して、前記施錠状態における当該可動係合部の変位限度位置まで達した場合でも、当該変位限度位置よりも前記係合部解錠側特定位置側への変位を規制する可動係合部規制手段により、当該可動係合部及び前記鉤部の係合状態が維持され、
前記可動係合部規制手段は、
前記施錠状態において前記可動係合部の変位を規制する第１状態と、
少なくとも前記扉体を前記支持部材に対し閉鎖する際に、前記鉤部及び前記可動係合部が前記係合状態となるのを許容する第２状態とに可変であることをその要旨としている。
【発明の効果】
【０００９】
本発明の遊技機によれば、線材等を用いた不正解錠に対する防御性能に優れた遊技機を提供することができる。
【図面の簡単な説明】
【００１０】
【図１】一実施形態におけるスロットマシンの正面図。
【図２】前面扉を閉じた状態を示すスロットマシンの斜視図。
【図３】前面扉を開いた状態を示すスロットマシンの斜視図。
【図４】前面扉を開いた状態を示すスロットマシンの正面図。
【図５】各リールを構成する帯状ベルトの展開図。
【図６】スロットマシンのブロック回路図。
【図７】施錠装置及び支持金具を背面左側から見た斜視図である。
【図８】施錠装置及び支持金具を正面左側から見た斜視図である。
【図９】施錠装置及び支持金具を背面左側から見た分解斜視図である。
【図１０】施錠装置及び支持金具を背面右側から見た分解斜視図である。
【図１１】施錠装置の背面図である。
【図１２】施錠装置の右側面図である。
【図１３】施錠装置の正面図である。
【図１４】施錠装置の左側面図である。
【図１５】支持金具の左側面図である。
【図１６】支持金具の正面図である。
【図１７】支持金具の右側面図である。
【図１８】支持金具の背面図である。
【図１９】鍵の非挿入時におけるシリンダ錠を示す断面図である。
【図２０】鍵の挿入時におけるシリンダ錠を示す断面図である。
【図２１】（ａ）〜（ｃ）は、カム板の動きを説明するための図である。
【図２２】施錠状態にある施錠装置及び支持金具の側面図である。
【図２３】施錠状態における鉤部材、受け金具及びロック部材等を示す部分拡大断面図である。
【図２４】解錠状態における鉤部材、受け金具及びロック部材等を示す部分拡大断面図である。
【図２５】扉体の開放状態における鉤部材、受け金具及びロック部材等を示す部分拡大断面図である。
【図２６】扉体を閉鎖する際の鉤部材、受け金具及びロック部材等を示す部分拡大断面図である。
【図２７】扉体を閉鎖する際の鉤部材、受け金具及びロック部材等を示す部分拡大断面図である。
【発明を実施するための形態】
【００１１】
上述したように、遊技機の一種として例えばスロットマシンがある。一般に、スロットマシンは、前面が開放された箱状の筐体と、当該筐体の前面側に開閉可能に枢支された前扉とを備え、この内部に、図柄の付された複数のリールよりなる可変表示装置や、遊技制御を行う制御装置、メダルを払い出すホッパ装置などが収容されている。
【００１２】
一般にスロットマシン等の遊技機では、メンテナンス等の観点から前扉（扉体）が筐体（支持部材）に対し開閉可能に設けられている。そのため、店員以外の者が無断で前扉を開放できないように、遊技機には施錠装置が設けられている。かかる施錠装置としては、専用の鍵を用いて操作されるシリンダ錠と、筐体に設けられた複数の被係止部に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係止部に係合することで前扉が筐体に対し開放不能となる。他方、専用の鍵でシリンダ錠を解錠操作することにより摺動杆を介して各鉤部材が被係止部から同時に離脱し、前扉が開放可能となる。
【００１３】
近年、遊技ホールでは、例えば営業中に前扉を不正に解錠し、筐体内側に設けられた制御機器を不正に操作したり交換する等して、多くの遊技媒体を獲得する不正行為が行われることもある。このような不正解錠は、通常、前扉と筐体との隙間から針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係止部から離脱し、前扉が開放可能となる。
【００１４】
これに対し、例えば、いずれか１つの鉤部材に対して不正な解錠操作が行われた場合に、当該不正解錠操作に応じた鉤部材の動作が、不正解錠操作されていない他の鉤部材に伝達されるのを防止する機構を備えたものもある（例えば特許文献１参照）。
【００１５】
しかしながら、上記従来技術では、複数の鉤部材が上下に離れて設けられている。つまり、上述した不正解錠操作を行おうとした場合に線材を引っ掛ける複数の対象が離れた位置関係となる。このため、複数の鉤部材に対して線材を引っ掛けることが比較的容易に行われ、複数の鉤部材を同時に解錠方向へ変位させて、前扉を解錠されてしまうおそれがあった。
【００１６】
尚、かかる課題は、スロットマシン等の回胴遊技機に限らず、パチンコ機など、扉体と支持部材とを施錠する施錠機構を備えた他の遊技機にも該当する問題である。
【００１７】
本発明は、上記課題を解決するためになされたものであり、その目的は、線材等を用いた不正解錠に対する防御性能に優れた遊技機を提供することにある。
【００１８】
以下、上記課題等を解決するのに適した各手段を項分けして説明する。なお、必要に応じて対応する手段に特有の作用効果等を付記する。
【００１９】
手段１．支持部材に対し開閉可能に支持された扉体と、
前記支持部材に対し前記扉体を施錠する施錠機構とを備えた遊技機であって、
前記施錠機構は、
前記支持部材又は前記扉体の一方に設けられた施錠装置と、他方に設けられた被係合手段とを備え、
前記施錠装置が、
鍵により操作される錠部材と、
前記錠部材の動作に連動して、少なくとも鉤部施錠側特定位置と鉤部解錠側特定位置との間で変位可能な鉤部とを備え、
前記被係合手段が、
少なくとも係合部施錠側特定位置と係合部解錠側特定位置との間で変位可能な可動係合部を備え、
前記鉤部と前記可動係合部とが係合状態となることにより、前記扉体の開放が規制される施錠状態となり、
前記鉤部と前記可動係合部とが非係合状態となることにより、前記扉体の開放が許容される解錠状態となる構成であって、
前記鍵を用いずに前記扉体を前記支持部材に対し閉鎖する際には、
少なくとも前記可動係合部が前記係合部解錠側特定位置側へ変位した状態となることにより、前記扉体の閉鎖に必要な前記鉤部及び前記可動係合部の所定量以上の相対変位量が得られ、
前記施錠状態において、前記鍵による前記錠部材の特定の操作があった場合には、少なくとも前記鉤部が前記鉤部解錠側特定位置側へ変位することにより、前記非係合状態になるのに必要な前記鉤部及び前記可動係合部の所定量以上の相対変位量が得られ、
前記施錠状態で、かつ、前記鍵による前記錠部材の特定の操作がない状態において、
少なくとも前記可動係合部が前記係合部施錠側特定位置にある場合には、前記鉤部のみが前記鉤部解錠側特定位置側へ変位して、前記施錠状態における当該鉤部の変位限度位置まで達した場合でも、当該鉤部及び前記可動係合部の係合状態が維持され、
少なくとも前記鉤部が前記鉤部施錠側特定位置にある場合には、前記可動係合部のみが前記係合部解錠側特定位置側へ変位して、前記施錠状態における当該可動係合部の変位限度位置まで達した場合でも、当該可動係合部及び前記鉤部の係合状態が維持されることを特徴とする遊技機。
【００２０】
上記手段１によれば、施錠状態においては、鍵を用いずに鉤部及び可動係合部の一方のみを解錠方向へ変位させただけでは、両者の係合状態が解除されず、扉体の開放が許容されない。一方、鍵により錠部材を操作することにより、少なくとも鉤部が解錠方向へ変位し、当該鉤部及び可動係合部が所定量以上相対変位した場合には、両者が非係合状態となり、扉体の開放が許容される。従って、仮に線材等を用いて鉤部や可動係合部を解錠方向へ変位させて、両者の係合状態を不正に解除しようとした場合には、一箇所で係合し合っている鉤部と可動係合部とに線材等をそれぞれ引っ掛けるといった複雑な操作や、当該引っ掛けた線材等を異なる方向に操作するといった複雑な操作を要するため、不正解錠操作が困難となる。結果として、線材等を用いた不正解錠に対する防御性能が格段に向上する。また、鍵を用いずに扉体を閉鎖する際には、少なくとも可動係合部が解錠方向へ変位することにより、扉体の閉鎖に必要な鉤部及び可動係合部の所定量以上の相対変位量が得られる。つまり、鉤部が変位しなくとも可動係合部が変位することにより、扉体を閉鎖することができる。換言すれば、鍵を用いずとも（少なくとも上記特定の操作を行わずとも）扉体を閉鎖することができ、利便性が高い。
【００２１】
なお、以下の手段においても同様であるが、鉤部及びこれに対応する可動係合部の数は１つに限定されるものではなく、これらを複数備えた構成としてもよい。
【００２２】
また、錠部材の例としては、鍵が挿入されて回動操作されるシリンダ錠などが挙げられる。この場合、鍵により操作される作動部は、回動可能に設けられた錠軸や、当該錠軸に固定された係合片（カム板）等から構成されることとなる。勿論、錠部材はシリンダ錠に限定されるものではなく、この他、カードキーのような鍵を用いて操作されるものであってもよい。
【００２３】
また、構成によっては、鉤部又は可動係合部の「変位限度位置」が「鉤部解錠側特定位置」又は「係合部解錠側特定位置」と同一位置となる場合もある。
【００２４】
また、鉤部及び可動係合部の「非係合状態」とは、扉体を開閉方向に動かした場合に、鉤部及び可動係合部が接触しない位置関係、又は接触しつつも扉体を開放可能な位置関係にある状態を指す。つまり、扉体の開閉に必要な鉤部及び可動係合部の「所定量以上の相対変位量」とは、両者がそれぞれ自身の施錠側特定位置に位置した状態（係合状態）から非係合状態に達するまでの所定量以上の相対変位量を指す。例えば、扉体の開閉方向である前後方向に対し鉤部及び可動係合部が係り合うとともに、扉体の開閉に際し、鉤部及び可動係合部の係り合う部位がそれぞれ少なくとも上下方向（扉体の開閉方向に直交する方向）へ変位するような構成においては、両者が係合状態から非係合状態に達するまでの上下方向における所定量以上の相対変位量が上記「所定量以上の相対変位量」に相当することとなる。
【００２５】
手段２．前記施錠状態において前記鉤部の前記変位限度位置よりも前記鉤部解錠側特定位置側への変位を規制する鉤部規制手段を備え、
前記鍵による前記錠部材の特定の操作があった場合には、前記鉤部規制手段による規制が解除されることを特徴とする手段１に記載の遊技機。
【００２６】
上記手段２によれば、上記鉤部規制手段を備えることにより、比較的簡単に上記手段１の構成を実現することができる。つまり、鍵を用いて解錠操作を行った場合には、その操作に応じて鉤部が所定量以上変位することにより、係合部施錠側特定位置にある可動係合部と所定量以上の相対変位量が得られ、扉体の開放が許容される。一方、鍵を用いずに線材等によって鉤部に対し直接外力が加えられた場合、すなわち不正な解錠操作が行われた場合には、鉤部の所定量以上の変位が規制され、当該鉤部と可動係合部との係合状態が維持されるため、扉体の開放は許容されない。
【００２７】
なお、上記鉤部規制手段を備えた構成では、鍵を用いずに扉体を閉じようとした場合、被係合手段（係合部）が固定されたものであると、鉤部と被係合手段とが衝突し、その衝撃が比較的大きいため、当該鉤部や被係合手段の変形や破損等といった不具合が発生するおそれがある。この点、本手段では、可動係合部が変位する構成となっていることにより、鉤部の変位が規制された状態にあっても、鉤部と可動係合部との所定量以上の相対変位量が確保されるため、上記不具合は発生しにくい。従って、扉体を閉鎖する際に、専用の鍵を用いた施錠操作を行う必要もなく、利便性が向上する。例えば、鉤部の先端が略三角形状に先細りしており、扉体を閉じていくと、先ず鉤部の傾斜部位が可動係合部に接する。さらに扉体を閉じていくことで、コイルばね等の付勢手段の付勢力に抗して可動係合部が解錠方向へ変位する。そして、鉤部が可動係合部を乗り越えると、可動係合部は付勢手段の付勢力により元の位置に戻り、鉤部と係合状態となり、施錠状態となる。
【００２８】
手段３．前記施錠装置は、前記錠部材の動作を前記鉤部に伝達する伝達部材を備え、
前記錠部材に鍵の挿入がない場合には、当該錠部材の作動部が所定量以上変位不能となり、当該作動部により前記伝達部材の所定量以上の変位が規制され、当該伝達部材により前記鉤部の前記変位限度位置よりも前記鉤部解錠側特定位置側への変位が規制されることを特徴とする手段１に記載の遊技機。
【００２９】
上記手段３によれば、上記手段２と同様の作用効果が奏される。例えばシリンダ錠に鍵が挿し込まれないと、シリンダ錠のロック状態が解除されず、シリンダ錠のカム板等に係合した伝達部材ひいては鉤部が所定量以上変位不能な状態に維持される構成などが一例に挙げられる。なお、伝達部材により鉤部の変位が規制される構成には、例えば伝達部材と鉤部とが一体形成され、これにより伝達部材の変位が規制された場合には、鉤部が変位しない構成なども含まれる。
【００３０】
手段４．前記施錠状態において前記可動係合部の前記変位限度位置よりも前記係合部解錠側特定位置側への変位を規制する可動係合部規制手段を備えていることを特徴とする手段１乃至手段３のいずれかに記載の遊技機。
【００３１】
上記手段４によれば、可動係合部規制手段を備えることにより、比較的簡単に上記手段１の構成を実現することができる。つまり、鍵を用いずに線材等によって可動係合部に対し直接外力が加えられた場合、すなわち不正な解錠操作が行われた場合には、可動係合部の所定量以上の変位が規制され、当該可動係合部と鉤部との係合状態が維持されるため、扉体の開放は許容されない。なお、上記鉤部規制手段と可動係合部規制手段の両方を備えた構成では、不正解錠操作がより困難となるため、両者の相乗効果により不正解錠に対するさらなる防御性能の向上を図ることができる。
【００３２】
手段５．前記可動係合部規制手段は、
前記施錠状態において前記可動係合部の変位を規制する第１状態と、
少なくとも前記扉体を前記支持部材に対し閉鎖する際に、前記鉤部及び前記可動係合部が係合状態となるのを許容する第２状態とに可変であることを特徴とする手段４に記載の遊技機。
【００３３】
上記手段５によれば、可動係合部規制手段に邪魔されることなく、スムーズに扉体の閉鎖作業を行うことができ、利便性が向上する。
【００３４】
手段６．前記可動係合部規制手段は、
第１位置と第２位置との間で変位可能な規制部材と、
前記規制部材を前記第１位置側へ付勢する規制部材付勢手段とを備え、
前記規制部材が前記第１位置をとることにより前記第１状態となり、
前記規制部材が前記第２位置をとることにより前記第２状態となる構成であって、
前記扉体を前記支持部材に対し閉鎖する際には、前記鉤部と前記可動係合部とが接触することにより、少なくとも前記可動係合部が前記係合部解錠側特定位置側へ変位するとともに、
前記規制部材は、
前記係合部解錠側特定位置側へ変位した前記可動係合部が接触することにより、前記規制部材付勢手段の付勢力に抗して前記第２位置側へ変位し、
前記鉤部と前記可動係合部とが係合状態となった際には、前記可動係合部と非接触状態となり、前記第１位置へ戻ることを特徴とする手段５に記載の遊技機。
【００３５】
上記手段６によれば、扉体を閉じることにより、自動的に可動係合部規制手段が状態変化し、鉤部及び可動係合部が係合状態となるのが許容されるとともに、両者が係合した際には、可動係合部の変位が規制された状態となる。従って、扉体を閉じる際に、何らか特殊な操作を行う必要もなく、利便性の向上が図られる。なお、このような作用効果は、上記手段６の「前記扉体を前記支持部材に対し閉鎖する際には、前記鉤部と前記可動係合部とが接触することにより、少なくとも前記可動係合部が前記係合部解錠側特定位置側へ変位する」構成に代えて、「前記扉体を前記支持部材に対し閉鎖する際には、少なくとも前記可動係合部が前記係合部解錠側特定位置側へ変位しつつ、前記鉤部と前記可動係合部とが接触する」構成としても同様に得られる。
【００３６】
手段７．前記可動係合部規制手段は、前記鍵による操作に応じた前記錠部材の動作に連動しない構成であることを特徴とする手段４乃至６のいずれかに記載の遊技機。
【００３７】
上記手段７によれば、可動係合部規制手段が錠部材の動作に連動しない構成、つまり上記鉤部や伝達部材などと連動しない構成であるため、仮に鍵を用いずに線材等によって鉤部や伝達部材に対し不正操作が行われた場合でも、この応力が可動係合部規制手段に伝達されない。つまり、鉤部や伝達部材等に対する不正操作だけでは、解錠状態とすることはできないため、不正解錠に対する防御性能が格段に向上する。なお、可動係合部規制手段が錠部材の動作に連動しない構成は、可動係合部規制手段が上記鉤部や伝達部材などと係り合うことなく離間して設けられることにより実現できる。
【００３８】
手段８．前記鍵を用いずに前記扉体を前記支持部材に対し閉鎖する際には、
前記可動係合部が前記係合部解錠側特定位置側へ変位した状態となるとともに、前記鉤部が前記鉤部解錠側特定位置側へ変位することにより、前記扉体の閉鎖に必要な前記鉤部及び前記可動係合部の所定量以上の相対変位量が得られることを特徴とする手段１乃至７のいずれかに記載の遊技機。
【００３９】
仮に鍵を用いずに扉体を支持部材に対し閉鎖する際に可動係合部及び鉤部の一方のみが自身の解錠側特定位置側へ変位する構成によって、上記手段１等に記載の構成を実現しようとした場合、施錠機構の構成が複雑化してしまうおそれもあるが、可動係合部及び鉤部の両者をそれぞれ変位させる手段８の構成とすることにより、施錠機構の簡素化を図ることができる。
【００４０】
手段９．前記鉤部を前記鉤部施錠側特定位置側へ付勢する鉤部付勢手段と、前記可動係合部を前記係合部施錠側特定位置側へ付勢する可動係合部付勢手段とを備え、
前記扉体を前記支持部材に対し閉鎖する際には、前記鉤部と前記可動係合部とが接触することにより、前記鉤部及び前記可動係合部の両者が、それぞれ自身の前記解錠側特定位置側へ変位することを特徴とする手段１乃至８のいずれかに記載の遊技機。
【００４１】
上記手段９によれば、上記手段８と同様の作用効果に加え、鉤部と可動係合部との接触時に、これら個々にかかる負荷を分散し低減することができる。結果として、鉤部等に変形や破損等の不具合が発生することを低減させることができる。一方のみを変位可能とした構成で、このような効果を得ようとした場合には、比較的付勢力の弱い付勢手段を用いればよいが、この場合、上述したような不正行為が行われると、鉤部や可動係合部を自身の解錠側特定位置側へ簡単に変位させられるおそれがある。この点、本手段によれば、個々の付勢手段としては、ある程度、付勢力の強いものを用いつつも、両者に負荷が分散されるため、個々にかかる衝撃力を緩和することができる。
【００４２】
以下に、上記各手段が適用される各種遊技機の基本構成を示す。
【００４３】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００４４】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００４５】
Ｃ．上記各手段における前記遊技機、又は、上記各弾球遊技機は、パチンコ機又はパチンコ機に準ずる遊技機であること。
【００４６】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００４７】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００４８】
以下、遊技機の一種である回胴式遊技機、具体的にはスロットマシンに適用した場合の一実施形態を図面に基づいて詳細に説明する。図１はスロットマシン１０の正面図、図２は前面扉１２を閉じた状態のスロットマシン１０の斜視図、図３は前面扉１２を開いた状態のスロットマシン１０の斜視図、図４は前面扉１２を開いた状態のスロットマシン１０の正面図である。
【００４９】
図１〜図４に示すように、スロットマシン１０は、その外殻を形成する支持部材としての筺体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筺体１１は、遊技ホールへの設置の際にいわゆる島設備に対し釘を打ち付ける等して取り付けられる。
【００５０】
筺体１１の前面側には、扉体としての前面扉１２が設けられている。前面扉１２は、筺体１１の左側板１１ｄに設けられた上下一対のヒンジ機構２５ａ、２５ｂにより開閉可能に取り付けられている。これにより、前面扉１２は筺体１１に対してヒンジ機構２５ａ、２５ｂを結ぶ上下方向へ延びる開閉軸線を中心として回動可能に支持され、その回動によって筺体１１の前面開放側を開放したり閉鎖することができるように構成されている。
【００５１】
また、前面扉１２は、その裏側に設けられた施錠装置６００と、筐体１１側に設けられた被係合手段としての支持金具８００とによって開放不能な状態とされる。これら施錠装置６００と支持金具８００とからなる施錠機構の詳細は後述する。
【００５２】
前面扉１２の中央部上寄りには、遊技者に遊技状態を報知する遊技パネル３０が設けられている。遊技パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。
【００５３】
図３，４に示すように、筺体１１は仕切り板４０によりその内部が上下２分割されており、仕切り板４０の上部には、可変表示手段を構成するリールユニット４１が取り付けられている。
【００５４】
リールユニット４１は、円筒状（円環状）にそれぞれ形成された回転体としての左リール４２Ｌ，中リール４２Ｍ，右リール４２Ｒを備えている。各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。各リール４２Ｌ，４２Ｍ，４２Ｒの外周面には帯状のベルトが巻かれており、このベルトの外周面には、識別情報としての図柄が等間隔ごとに多数印刷されている。そして、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映しだされる。
【００５５】
なお、これら各リール４２Ｌ，４２Ｍ，４２Ｒは、それぞれが駆動手段としてのステッピングモータ６１Ｌ，６１Ｍ，６１Ｒ（図６参照）に連結されており、各ステッピングモータ６１Ｌ，６１Ｍ，６１Ｒの駆動により各リール４２Ｌ，４２Ｍ，４２Ｒが個別に、即ちそれぞれ独立して回転駆動し得る構成となっている。そして、各ステッピングモータ６１Ｌ，６１Ｍ，６１Ｒの駆動軸が回転することによりその駆動軸を中心として各リール４２Ｌ，４２Ｍ，４２Ｒが自転するように回転する。
【００５６】
また、リールユニット４１には、リールインデックスセンサ５５Ｌ，５５Ｍ，５５Ｒ（図６参照）が設置されている。本実施形態では、各リールインデックスセンサ５５Ｌ，５５Ｍ，５５Ｒとして、発光素子と受光素子とが所定間隔をおいて保持された透過型フォトセンサが採用されている。そして、各リールインデックスセンサ５５Ｌ，５５Ｍ，５５Ｒは、各リール４２Ｌ，４２Ｍ，４２Ｒがほぼ１周するごとに図示しないセンサカットバンが両素子間を通過するのを検出し、その都度、後述する主制御装置１３１に対し検出信号を出力する。主制御装置１３１は、この検出信号に基づいて各リール４２Ｌ，４２Ｍ，４２Ｒの回転位置をほぼ１周するごとに確認し補正できる。
【００５７】
例えば、本実施形態では、ステッピングモータ６１Ｌ，６１Ｍ，６１Ｒは５０４パルスの駆動信号（励磁信号あるいは励磁パルスとも言う。以下同じ）を与えることにより１回転されるように設定されている。つまり、７パルスの駆動信号で各リール４２Ｌ，４２Ｍ，４２Ｒが５°角度変化するというように、駆動信号の数に応じた回転量で各リール４２Ｌ，４２Ｍ，４２Ｒを回転させるように構成されている。さらに、この駆動信号によってステッピングモータ６１Ｌ，６１Ｍ，６１Ｒの回転位置、すなわち各リール４２Ｌ，４２Ｍ，４２Ｒの回転位置が制御される。
【００５８】
上述した各リール４２Ｌ，４２Ｍ，４２Ｒの各ベルト上には、その長辺方向（周回方向）に複数個、具体的には２１個の図柄が描かれている。従って、所定の位置においてある図柄から次の図柄へ切り替えるには２４パルス（＝５０４パルス÷２１図柄）を要する。そして、各リール４２Ｌ，４２Ｍ，４２Ｒの回転位置が検出された時点からのパルス数により、どの図柄が各表示窓３１Ｌ，３１Ｍ，３１Ｒから視認可能な状態となっているかを認識したり、任意の図柄を各表示窓３１Ｌ，３１Ｍ，３１Ｒから視認可能な状態としたりする制御を行うことができる。
【００５９】
各リール４２Ｌ，４２Ｍ，４２Ｒに付された図柄のうち、表示窓３１Ｌ，３１Ｍ，３１Ｒを介して全体を視認可能な図柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の図柄が遊技者に視認可能な状態となる。
【００６０】
ここで、各リール４２Ｌ，４２Ｍ，４２Ｒに付される図柄について説明する。図５には、左リール４２Ｌ，中リール４２Ｍ，右リール４２Ｒのそれぞれに巻かれるベルトに描かれた図柄配列が示されている。同図に示すように、各リール４２Ｌ，４２Ｍ，４２Ｒにはそれぞれ２１個の図柄が一列に設けられている。各リール４２Ｌ，４２Ｍ，４２Ｒに対応して番号が１〜２１まで付されているが、これは説明の便宜上付したものであり、リール４２Ｌ，４２Ｍ，４２Ｒに実際に付されているわけではない。但し、以下の説明では当該番号を使用して説明する。
【００６１】
図柄としては、ビッグボーナスゲームに移行するための第１特別図柄としての「赤７」図柄（例えば、左ベルト第２０番目）と「白７」図柄（例えば、左ベルト第１９番目）とがある。また、レギュラーボーナスゲームに移行するための第２特別図柄としての「ＢＡＲ」図柄（例えば、左ベルト第１４番目）がある。また、リプレイゲームに移行するための第３特別図柄としての「リプレイ」図柄（例えば、左ベルト第１１番目）がある。また、小役の払出が行われる小役図柄としての「スイカ」図柄（例えば、左ベルト第９番目）、「ベル」図柄（例えば、左ベルト第８番目）、「チェリー」図柄（例えば、左ベルト第４番目）がある。そして、図５に示すように、各リール４２Ｌ，４２Ｍ，４２Ｒに巻かれるベルトにおいて、各種図柄の数や配置順序は全く異なっている。
【００６２】
遊技パネル３０には、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中央ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に図柄が所定の組合せで停止した場合に入賞となり、予め定められたメダル払出処理や特定遊技への移行処理などが実行される。
【００６３】
ここで、入賞となった場合の各図柄に関する払出枚数について説明する。小役図柄に関し、「スイカ」図柄が有効ライン上に左・中・右と揃った場合には１５枚のメダル払出、「ベル」図柄が有効ライン上に左・中・右と揃った場合には８枚のメダル払出、左リール４２Ｌの「チェリー」図柄が有効ライン上に停止した場合には２枚のメダル払出が行われる。即ち、中リール４２Ｍ及び右リール４２Ｒの「チェリー」図柄はメダル払出と無関係である。また、「チェリー」図柄に限っては、他の図柄との組合せとは無関係にメダル払出が行われるため、左リール４２Ｌの複数の有効ラインが重なる位置（具体的には上段又は下段）に「チェリー」図柄が停止した場合には、その重なった有効ラインの数を乗算した分だけのメダル払出が行われることとなり、結果として本実施の形態では４枚のメダル払出が行われる。
【００６４】
また、その他の図柄に関しては、第１特別図柄（ビッグボーナス図柄）の組合せである「赤７」図柄又は「白７」図柄が同一図柄にて有効ライン上に左・中・右と揃った場合には１５枚のメダル払出、第２特別図柄（レギュラーボーナス図柄）の組合せである「ＢＡＲ」図柄が有効ライン上に左・中・右と揃った場合にも１５枚のメダル払出が行われる。なお、本実施形態においては、例えば「赤７」図柄と「チェリー」図柄とが同時に成立する場合が生じ得るが、かかる場合におけるメダル払出は１５枚である。これは、１回のメダル払出における上限枚数が１５枚に設定されているためである。
【００６５】
更に、第３特別図柄の組合せである「リプレイ」図柄が有効ライン上に左・中・右と揃った場合にはメダル払出は行われない。その他の場合、即ち有効ライン上に左リール４２Ｌの「チェリー」図柄が停止せず、また有効ライン上に左・中・右と同一図柄が揃わない場合には、一切メダル払出は行われない。
【００６６】
ここで本実施形態におけるボーナスゲームについて説明する。レギュラーボーナス（以下「ＲＢ」という）ゲームは、１２回のＪＡＣゲームで構成さえている。ＪＡＣゲームは、１枚ベットのみ許されるゲームであり、ＪＡＣ図柄（ここではリプレイ図柄で代用）が有効ライン上に揃う確率つまりＪＡＣ図柄成立の確立が非常に高いゲームである。ＪＡＣゲームでＪＡＣ図柄が成立すると最大枚数（ここでは１５枚）のメダルが払い出される。そして、ＪＡＣ図柄が８回成立すると、ＪＡＣゲームが１２回に達する前であってもＲＢゲームが終了する。一方、ビッグボーナス（以下「ＢＢ」という）ゲームは、３０回の小役ゲームと３回のＪＡＣインとから構成されている。小役ゲームとは高確率で小役が当選する（有効ライン上に「ベル」図柄などが揃う）ゲームであり、ＪＡＣインとは１２回のＪＡＣゲームに突入することを意味し、小役ゲーム中にＪＡＣ図柄が有効ライン上に揃うとＪＡＣインが成立する。ＪＡＣゲームはＲＢゲームの場合と同様である。また、３回目のＪＡＣインによるＪＡＣゲームが終了すると小役ゲームが３０回に達する前であってもＢＢゲームは終了し、３０回の小役ゲームが終了するとＪＡＣインが３回に達する前であってもＢＢゲームは終了する。ボーナスゲームの形態は上記形態に限定されるものではなく、異なる形態であってもよい。
【００６７】
さて、遊技パネル３０の下方左側には、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち可変表示を開始させるべく操作される始動操作手段を構成する。スタートレバー７１は、遊技者がゲームを開始するときに手で押し操作するレバーであり、手が離れたあと元の位置に自動復帰する。メダルが投入されているときにこのスタートレバー７１が操作されると、各リール４２Ｌ，４２Ｍ，４２Ｒが一斉に回転を始める。
【００６８】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの略直下にそれぞれ配置されている。ストップスイッチ７２，７３，７４はリール４２Ｌ，４２Ｍ，４２Ｒの回転に基づく可変表示を停止させるべく操作される停止操作手段を構成する。各ストップスイッチ７２，７３，７４は、左リール４２Ｌが回転を開始してから所定時間が経過すると停止させることが可能な状態となり、かかる状態中には図示しないランプが点灯表示されることによって停止操作が可能であることが報知され、回転が停止すると消灯されるようになっている。
【００６９】
表示窓３１Ｌ，３１Ｍ，３１Ｒの下方右側には、メダルを投入するためのメダル投入口７５が設けられている。メダル投入口７５から投入されたメダルは、前面扉１２の背面に設けられた通路切替手段としてのセレクタ８４によって貯留用通路８１か排出用通路８２のいずれかへ導かれる。すなわち、セレクタ８４にはメダル通路切替ソレノイド８３（図６参照）が設けられ、そのメダル通路切替ソレノイド８３の非励磁時には排出用通路８２側とされ、励磁時には貯留用通路８１側に切り替えられるようになっている。貯留用通路８１に導かれたメダルは、筺体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返還される。
【００７０】
メダルを遊技者に付与する払出手段としてのホッパ装置９１は、メダルを貯留する貯留タンク９２と、メダルを遊技者に払い出す払出装置９３とにより構成されている。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００７１】
メダル投入口７５の下方には、ボタン状の返却スイッチ７６が設けられている。返却スイッチ７６は、メダル投入口７５に投入されたメダルがセレクタ８４内に詰まった際に押されるスイッチであり、このスイッチが押されることによりセレクタ８４が機械的に連動して動作され、当該セレクタ８４内に詰まったメダルがメダル排出口１７より返却されるようになっている。
【００７２】
表示窓３１Ｌ，３１Ｍ，３１Ｒの下方左側には、クレジットされた仮想メダルを一度に３枚投入するためのボタン状の第１クレジット投入スイッチ７７が設けられている。また、第１クレジット投入スイッチ７７の左方には当該スイッチ７７よりも小さなボタン状のスイッチとして、第２クレジット投入スイッチ７８が設けられている。第２クレジット投入スイッチ７８はクレジットされた仮想メダルを一度に１枚投入するためのものである。
【００７３】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００７４】
スタートレバー７１の左側には、ボタン状の切換スイッチ８０が設けられている。切換スイッチ８０は、１度押されるとオン状態になり、もう１度押されるとオフ状態になり、その後押下操作が行われるごとにオンオフが切り替わるトグル式に構成されている。切換スイッチ８０は、メダル投入口７５に必要量より多く投入された投入メダルや、所定の遊技の結果、遊技者に返還される獲得メダルの取扱形式を変更するために操作される。
【００７５】
切換スイッチ８０がオン状態のときには、所定の最大値（例えばメダル５０枚分）となるまでの余剰の投入メダルや入賞時の獲得メダルがクレジットメダルとして貯留記憶されるように設定された「クレジットモード」となる。切換スイッチ８０がオフ状態のときには、余剰の投入メダルや入賞時の獲得メダルを現実のメダルとして払い出すように設定された「ダイレクトモード」となる。なお、クレジットモードからダイレクトモードに切り換えられた際にクレジットメダルがある場合には、その分のクレジットメダルが現実のメダルとして払い出される。このように、遊技者はクレジットモードとダイレクトモードとを切り換えることにより自身の好みに応じた形式で遊技を実行することができる。かかる切換スイッチ８０は取扱形式を切り換える切換操作手段を構成する。また、クレジットされた仮想メダルを現実のメダルとして払い出すという機能に着目すれば、切換スイッチ８０は貯留記憶された遊技価値を実際に払い出すための精算操作手段を構成するものともいえる。なお、切換スイッチ８０の操作により「クレジットモード」と「ダイレクトモード」とを切り換えるように構成する他、常に「クレジットモード」としておき切換スイッチ８０が操作されると貯留記憶された仮想メダルを払い出すだけの精算スイッチとして機能させてもよい。
【００７６】
遊技パネル３０の表示窓３１Ｌ，３１Ｍ，３１Ｒ下方には、クレジットモード時に有効化されて貯留記憶されたメダル数を表示する残数表示部３５と、ビッグボーナスやレギュラーボーナス等の特別遊技状態の際に例えば残りのゲーム数等を表示するゲーム数表示部３６と、獲得メダルの枚数を表示する獲得枚数表示部３７とがそれぞれ設けられている。これら表示部３５〜３７は７セグメント表示器によって構成されているが、液晶表示器等によって代替することは当然可能である。
【００７７】
ここで、メダルがベットされる手順について説明する。ダイレクトモード、クレジットモードのいずれのモードにおいても、遊技の開始時にメダル投入口７５からメダルが投入されるとベットとなる。
【００７８】
すなわち、１枚目のメダルがメダル投入口７５に投入されると、第１有効ライン表示部３２が点灯し、そしてこれに対応する中央ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００７９】
また、４枚以上のメダルがメダル投入口７５に投入されると、３枚を超える余剰メダルは、そのときのモードがダイレクトモードであればセレクタ８４により排出用通路８２への切替がなされてメダル排出口１７からメダル受け皿１８へ返却される。一方、クレジットモードであればスロットマシン内部に貯蓄されると共に残数表示部３５に貯蓄枚数が表示される。この貯留枚数には上限枚数が決められており（例えば５０枚）、それを超える枚数のメダルが投入されたときにはメダル排出口１７からメダル受け皿１８へ返却される。
【００８０】
また、クレジットモードにて遊技が行われ且つ残数表示部３５に貯留枚数が表示されている場合には、第１，２クレジット投入スイッチ７７，７８のいずれかが押された際にも仮想メダルが投入されたこととなりベットとなる。
【００８１】
例えば、第２クレジット投入スイッチ７８が押された際には、仮想メダルが１枚投入されたこととして残数表示部３５に表示されている数値が１つディクリメントされ、第１有効ライン表示部３２が点灯して中央ラインが有効ラインとなる。また、第１クレジット投入スイッチ７７が押された際には、仮想メダルが３枚投入されたこととして残数表示部３５に表示されている数値が３つディクリメントされ、全ての有効ライン表示部３２〜３４が点灯して合計５本の組合せラインが有効ラインとなる。
【００８２】
なお、第１，２クレジット投入スイッチ７７，７８のいずれかが押された際に投入されるべき仮想メダルが貯留されていない場合、例えば残数表示部３５の表示が２のときに第１クレジット投入スイッチ７７が押された場合等には、残数表示部３５の数値が全てディクリメントされて０となり、投入可能な仮想メダル分だけベットされる。
【００８３】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４Ａと、遊技者に各種情報を与える補助表示部１５とが設けられている。補助表示部１５は、本実施形態では表示内容の多様化及び表示演出の重厚化を意図して液晶表示器によって構成されているが、ドットマトリックス表示器等の他の表示器を使用してもよい。補助表示部１５は、遊技に進行に伴って各種表示演出を実行するためのものであり、各リール４２Ｌ，４２Ｍ，４２Ｒによる遊技を主表示部によるものと考えることができることから、本実施形態では補助表示部１５と称している。補助表示部１５の背面には上部ランプ１３やスピーカ１４Ａ、補助表示部１５を駆動させるための表示制御装置１１１が設けられている。なお、上部ランプ１３及びスピーカ１４Ａの位置や数は特に以上説明したものに限られない。
【００８４】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。さらに、メダル受け皿１８の奥方には、上記スピーカ１４Ａと同様の左右一対のスピーカ１４Ｂが設けられている。
【００８５】
筺体１１の内部においてホッパ装置９１の左方には、電源ボックス１２１が設けられている。電源ボックス１２１は、電源スイッチ１２２や設定キー挿入孔１２４などを備えている。電源スイッチ１２２は、主制御装置１３１を始めとする各部に電源を供給するための起動スイッチである。設定キー挿入孔１２４は、ホール管理者などがメダルの出玉調整を行うためのものである。すなわち、ホール管理者等が設定キーを設定キー挿入孔１２４へ挿入して操作することにより、スロットマシン１０の設定状態（当選確率設定処理）を「設定１」から「設定６」まで変更できるようになっている。
【００８６】
リールユニット４１の上方には、主制御手段としての主制御装置１３１が筺体１１の背板１１ｃに取付けられている。主制御装置１３１は、主たる制御を司るＣＰＵ，遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。基板ボックスは、略直方体形状のボックスベースと該ボックスベースの開口部を覆うボックスカバーとを備えている。これらボックスベースとボックスカバーとは封印手段としての封印ユニットによって開封不能に連結され、これにより基板ボックスが封印されている。
【００８７】
次に、本スロットマシン１０の電気的構成について、図６のブロック図に基づいて説明する。
【００８８】
主制御装置１３１には、演算処理手段であるＣＰＵ１５１を中心とするマイクロコンピュータが搭載されている。ＣＰＵ１５１には、電源ボックス１２１の内部に設けられた電源装置１６１の他に、所定周波数の矩形波を出力するクロック回路１５４や、入出力ポート１５５などが内部バスを介して接続されている。かかる主制御装置１３１は、スロットマシン１０に内蔵されるメイン基板としての機能を果たすものである。
【００８９】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する投入メダル検出センサ７５ａ、各クレジット投入スイッチ７７，７８の操作を個別に検出するクレジット投入検出センサ７７ａ，７８ａ、切換スイッチ８０の操作を検出する切換検出センサ８０ａ、各リール４２Ｌ，４２Ｍ，４２Ｒの回転位置を個別に検出するリールインデックスセンサ５５Ｌ，５５Ｍ，５５Ｒ、ホッパ装置９１から払い出されるメダルを検出する払出検出センサ９１ａ、後述するリセット操作を検出するリセット検出センサ６４０、設定キー挿入孔１２４に設定キーが挿入されたことを検出する設定キー検出センサ１２４ａ、前面扉１２の開放を検出するための開放検知スイッチ８２０、後述する鍵Ｋによる前面扉１２の開放操作があったことを検出するための開放操作検知センサ６３０等の各種センサが接続されており、これら各種センサからの信号は入出力ポート１５５を介してＣＰＵ１５１に出力されるようになっている。
【００９０】
なお、投入メダル検出センサ７５ａは実際には複数個のセンサより構成されている。即ち、メダル投入口７５からホッパ装置９１に至る貯留用通路８１は、その上流部において、メダルが１列で通行可能なように構成されている。そして、貯留用通路８１の上流部には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７５ａが構成されている。主制御装置１３１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置１３１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路８１でのメダル詰まりの他、メダルを投入メダル検出センサ７５ａ付近で往復動させてメダル投入と誤認させる不正を防止するためである。
【００９１】
また、主制御装置１３１の入力側には、入出力ポート１５５を介して電源装置１６１に設けられた停電監視回路１６１ｂが接続されている。なお、電源装置１６１には、主制御装置１３１を始めとしてスロットマシン１０の各電子機器に駆動電力を供給する電源部１６１ａや、上述した停電監視回路１６１ｂなどが搭載されている。
【００９２】
停電監視回路１６１ｂは電源の遮断状態を監視し、停電時はもとより、電源スイッチ１２２による電源遮断時に停電信号を生成するためのものである。この例では直流１２ボルトの安定化駆動電圧を監視し、この駆動電圧が例えば１０ボルト未満まで低下したとき電圧が遮断されたものと判断して停電信号が出力されるように構成されている。停電信号はＣＰＵ１５１と入出力ポート１５５のそれぞれに供給され、ＣＰＵ１５１ではこの停電信号を認識することにより所定の停電時処理が実行される。
【００９３】
電源部１６１ａからは出力電圧が１０ボルト未満まで低下した場合でも、主制御装置１３１などの制御系における駆動電圧として使用される５ボルトの安定化電圧が出力されるように構成されており、この安定化電圧が出力されている時間としては、主制御装置１３１による停電時処理を実行するに十分な時間が確保されている。
【００９４】
主制御装置１３１の出力側には、各有効ライン表示部３２，３３，３４、残数表示部３５、ゲーム数表示部３６、獲得枚数表示部３７、各リール４２Ｌ，４２Ｍ，４２Ｒを回転させるための各ステッピングモータ６１Ｌ，６１Ｍ，６１Ｒ、セレクタ８４に設けられたメダル通路切替ソレノイド８３、ホッパ装置９１、表示制御装置１１１、遊技ホールのホール管理装置などに情報を送信できる外部集中端子板１７１等が入出力ポート１５５を介して接続されている。
【００９５】
表示制御装置１１１は、上部ランプ１３やスピーカ１４Ａ，１４Ｂ、補助表示部１５を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に上部ランプ１３、スピーカ１４Ａ，１４Ｂ及び補助表示部１５を駆動制御する。従って、表示制御装置１１１は、遊技を統括管理するメイン基板たる主制御装置１３１との関係では補助的な制御を実行するサブ基板となっている。即ち、間接的な遊技に関する音声やランプ、表示についてはサブ基板を設けることにより、メイン基板の負担軽減を図っている。なお、各種表示部３２〜３７を表示制御装置１１１が制御する構成としてもよい。
【００９６】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１５２とＲＡＭ１５３によって記憶手段としてのメインメモリが構成され、各種処理を実行するためのプログラムは、制御プログラムの一部として上述したＲＯＭ１５２に記憶されている。
【００９７】
ＲＡＭ１５３は、スロットマシン１０の電源が遮断された後においても電源ボックス１２１内に設けられた電源装置１６１からバックアップ電圧が供給されてデータを保持（バックアップ）できる構成となっており、ＲＡＭ１５３には、各種のデータ等を一時的に記憶するためのメモリやエリアの他に、バックアップエリアが設けられている。
【００９８】
バックアップエリアは、停電などの発生により電源が遮断された場合において、電源遮断時（電源スイッチ１２２の操作による電源遮断をも含む。以下同様）のスタックポインタや、各レジスタ、Ｉ／Ｏ等の値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。なお、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴うＮＭＩ割込み処理が即座に実行される。
【００９９】
なお、電源装置１６１の電源部１６１ａは、上述したＮＭＩ割込み処理及び停電時処理を実行するのに十分な時間、制御系の駆動電圧として使用される安定化電圧（５ボルト）の出力が保持されるように構成されている。本実施形態では、３０ｍｓｅｃの間、駆動電圧が出力され続けるようになっている。
【０１００】
次に、前面扉１２の施錠機構について説明する。前面扉１２の施錠機構は、上述したように前面扉１２に取付けられた施錠装置６００と、筐体１１に取付けられた支持金具８００とにより構成される。
【０１０１】
施錠装置６００は、前面扉１２の右側辺部背面側、すなわち前面扉１２の回動軸側とは反対側の側辺部に沿って取付けられている。一方、支持金具８００は、施錠装置６００に対応して、筐体１１の右側板１１ｅ内側に取付けられている。そして、筺体１１に対して前面扉１２を閉鎖した際には、施錠装置６００と支持金具８００とが係合し施錠状態となることにより、前面扉１２の開放が規制された状態となる。なお、これら施錠装置６００や支持金具８００を構成する主な部材は、金属平板をプレス成形等することにより形成されている。
【０１０２】
また、前面扉１２の閉鎖状態においては、施錠装置６００のうち、後述するシリンダ錠７００（図１等参照）だけが前面扉１２の前面側に露出した状態となる。そして、このシリンダ錠７００の鍵穴７０２に鍵Ｋを挿入し、所定方向（本実施形態では時計回り方向）に回動操作することで、施錠装置６００と支持金具８００とが解錠状態となり、前面扉１２の開放が許容される状態となる。
【０１０３】
先ず施錠装置６００について図７〜図１４を参照して詳細に説明する。図７は、施錠装置６００及び支持金具８００を背面左側から見た斜視図であり、図８は、施錠装置６００及び支持金具８００を正面左側から見た斜視図である。但し、図７，８では、便宜上、施錠装置６００及び支持金具８００に関連する筐体１１及び前面扉１２も併せて模式的に図示している。また、図９は、施錠装置６００及び支持金具８００を背面左側から見た分解斜視図であり、図１０は、施錠装置６００及び支持金具８００を正面左側から見た分解斜視図である。また、図１１は、施錠装置６００の背面図であり、図１２は右側面図、図１３は正面図であり、図１４は左側面図である。
【０１０４】
施錠装置６００の外郭を構成する縦長の基枠６０１は、前面扉１２の背面部に固定される取付部としての取付板６０２と、当該取付板６０２の前面扉１２内方側（左側）の端縁から後方に突出した支持部としての支持板６０３と、取付板６０２の前面扉１２外方側（右側）の端縁から後方に突出したフランジ部６０４とを備えており、これらが一体となって横断面略コ字状をなしている。
【０１０５】
取付板６０２は、シリンダ錠７００の配置位置に対応する所定の上下区間が他部位より左右方向に幅広の幅広部６０２ａとなっており、支持板６０３では、前記幅広部６０２ａに対応する上下区間が前面扉１２内方側へ膨出した膨出部６０３ａとなっている。これは、遊技パネル３０の領域や各種機器等の設置スペースをより広く確保するために、施錠装置６００全体の横幅を極力狭くしつつ、シリンダ錠７００の配設位置においては、その設置スペースを確保するためである。
【０１０６】
支持板６０３の内側（前面扉１２外方側）には、施錠機構の主要構成部となる第１摺動杆６１０及び上下一対の鉤部材６１１，６１２が配設されている。鉤部材６１１，６１２が本実施形態における鉤部に相当し、第１摺動杆６１０が伝達部材に相当する。
【０１０７】
第１摺動杆６１０は、長尺状をなし、支持板６０３に沿って上下方向に摺動可能に配設されている。第１摺動杆６１０には、支持板６０３の膨出部６０３ａに対応する所定の上下区間において、前面扉１２内方側へ膨出した膨出部６１０ａが形成されている。但し、第１摺動杆６１０の膨出部６１０ａの形成区間は、支持板６０３の膨出部６０３ａの形成区間よりも短く設定されており、第１摺動杆６１０の摺動の妨げとならないようになっている。
【０１０８】
鉤部材６１１，６１２は、軸ピン６１３，６１４により支持板６０３に対し回動可能に軸支されている。また、第１摺動杆６１０は、前面扉１２外方側から鉤部材６１１，６１２の前端部及びその近傍（取付板６０２側の端部及びその近傍）に重畳するように、支持板６０３に対し配設されている。そして、当該重畳部分において、第１摺動杆６１０と鉤部材６１１，６１２とが軸ピン６１５，６１６を介して係合されている。これにより、第１摺動杆６１０の上下方向の摺動変位に連動して、鉤部材６１１，６１２が回動変位する。
【０１０９】
鉤部材６１１，６１２は、その上辺部に係止凹部６１１ａ，６１２ａが形成されるとともに、その後部が支持板６０３より後方へ突出している。これにより、鉤部材６１１，６１２は、支持板６０３より後方へ突出した部分が鉤状となっており、当該突出部分が係止部（係止爪）として機能する。
【０１１０】
また、鉤部材６１１，６１２における係止凹部６１１ａ，６１２ａより後端側、すなわち鉤部材６１１，６１２の頭部６１１ｂ，６１２ｂは、その上辺部が後方に向け下方傾斜した傾斜部６１１ｃ，６１２ｃとなっている。
【０１１１】
なお、取付板６０２には、上下方向３箇所において、第１摺動杆６１０の前面扉１２外方側への動きを規制する規制突起６０２ｂが設けられている。また、支持板６０３には、膨出部６０３ａよりも上方位置において、前面扉１２外方側に向け突出した支持突部６０３ｂが設けられている。規制突起６０２ｂや持突部６０３ｂは、第１摺動杆６１０の取付状態の安定性を高める機能とともに、第１摺動杆６１０の摺動動作の安定性を高めるガイド部としての機能を備えている。従って、第１摺動杆６１０は、取付板６０２の規制突起６０２ｂや支持板６０３の支持突部６０３ｂにより左右方向（図１１左右方向）への動きを規制され、かつ、鉤部材６１１，６１２との係合により前後方向（図１２左右方向）への動きを規制されつつ、上下方向へ摺動できるようになっている。
【０１１２】
また、第１摺動杆６１０の下端部近傍には、下側の鉤部材６１２との係合位置よりもやや上方位置において、前面扉１２内方側に向け突出した突起片６１７が設けられている。これに対応して、支持板６０３の後縁部には切欠き凹部６１８が形成されており、突起片６１７は当該切欠き凹部６１８を介して支持板６０３よりも前面扉１２内方側へ突出している。
【０１１３】
また、支持板６０３には、切欠き凹部６１８の上方位置において、前面扉１２内方側へ突出した取付基部６１９が設けられている。この取付基部６１９の下面側には開放操作検知センサ６３０が取付けられている。本実施形態では、開放操作検知センサ６３０として、発光素子と受光素子とが所定間隔をおいて保持された透過型フォトセンサが採用されている。そして、第１摺動杆６１０の上方への摺動変位があった場合、すなわち後述するように鍵Ｋによる前面扉１２の開放操作があった場合には、突起片６１７が開放操作検知センサ６３０の両素子間に入り込み、開放操作検知センサ６３０がこれを検出し、後述する主制御装置１３１に対し検出信号を出力する。主制御装置１３１は、この検出信号に基づいて、鍵Ｋによる前面扉１２の開放操作があったことを把握することができる。
【０１１４】
また、支持板６０３には、当該支持板６０３と第１摺動杆６１０とに挟まれるようにして、第２摺動杆６２０が配設されている。但し、第２摺動杆６２０は、その上下長が比較的短く設定されており、第１摺動杆６１０の膨出部６１０ａの上端部近傍から、開放操作検知センサ６３０のやや上方位置までの区間に対応して設けられている。従って、第２摺動杆６２０は、第１摺動杆６１０の膨出部６１０ａに沿って配設される上片部６２０ａと、第１摺動杆６１０の一般部に沿って配設される下片部６２０ｂとが段差をもって形成された構成となっている。
【０１１５】
第２摺動杆６２０の下片部６２０ｂには、下端部から前面扉１２内方側に向け突出した第１突起片６２１が設けられるとともに、下端部近傍の後縁部から前面扉１２内方側に向け突出した第２突起片６２２が設けられている。これに対応して、支持板６０３には挿通孔６２３，６２４が形成されており、両突起片６２１，６２２は当該挿通孔６２３，６２４を介してそれぞれ支持板６０３より前面扉１２内方側へ突出している。第１突起片６２１は、第２摺動杆６２０を下方へ摺動操作して、後述するようなリセット操作を行うための手動操作用の操作部として機能する。一方、第２突起片６２２は、後述するリセット検出センサ６４０により検出される被検知部として機能する。
【０１１６】
また、支持板６０３には、両挿通孔６２３，６２４よりも上方位置において、前面扉１２内方側へ突出した取付基部６２５が設けられている。この取付基部６２５の下面側にはリセット検出センサ６４０が取付けられている。本実施形態では、リセット検出センサ６４０として、上記開放操作検知センサ６３０と同様の透過型フォトセンサが採用されている。通常時、すなわち第２摺動杆６２０が基準位置にある場合には、このリセット検出センサ６４０の両素子間に第２突起片６２２が入り込んだ状態となっている。そして、第２摺動杆６２０の下方への摺動変位があった場合、すなわち後述するように鍵Ｋや第１突起片６２１を介したリセット操作があった場合には、第２突起片６２２がリセット検出センサ６４０の両素子間から抜け出し、リセット検出センサ６４０がこれを検出し、後述する主制御装置１３１に対し検出信号を出力する。主制御装置１３１は、この検出信号に基づいて、リセット操作があったことを把握することができる。
【０１１７】
さて、第１摺動杆６１０は、鉤部付勢手段としてのコイルばねＣ１により下方へ付勢されている。より詳しくは、コイルばねＣ１は、第１摺動杆６１０の上下方向略中央部に設けられたフック部６４１に一端が掛けられるとともに、他端が、取付板６０２の背面側に設けられたフック部６４２に掛けられている。
【０１１８】
また、第２摺動杆６２０は、コイルばねＣ２により上方へ付勢されている。より詳しくは、第１摺動杆６１０には、膨出部６１０ａのやや下方位置においてフック部６４３が形成されるとともに、それよりも下方位置の前縁部において切欠き凹部６４４が形成されている。また、第２摺動杆６２０の下端部近傍にはフック部６４５が形成されている。そして、第１摺動杆６１０のフック部６４３にコイルばねＣ２の一端が掛けられるとともに、他端が、切欠き凹部６４４を介して第１摺動杆６１０の前面扉１２外方側へ突出した第２摺動杆６２０のフック部６４５に掛けられている。
【０１１９】
そして、シリンダ錠７００が操作された場合には、コイルばねＣ１，Ｃ２の引張力に抗して、第１摺動杆６１０が上方へ、又は、第２摺動杆６２０が下方へ摺動変位する。
【０１２０】
通常時、第１摺動杆６１０は、コイルばねＣ１の引張力によって、図７等に示すような基準位置において保持されている。この状態では、第１摺動杆６１０に係合された鉤部材６１１，６１２は、その前端部が下方に引っ張られ、支持板６０３に設けられた下規制突起６４７，６４８に当接することにより略水平状態に維持されている（図２３参照）。なお、下規制突起６４７，６４８によって鉤部材６１１，６１２の動きが規制されることにより、第１摺動杆６１０の下方への動作も規制された状態となっている。
【０１２１】
そして、第１摺動杆６１０が上方へ摺動する場合には、これに連動して鉤部材６１１，６１２が回動変位する。但し、鉤部材６１１，６１２は、支持板６０３に設けられた上規制突起６４９，６５０に当接することにより、それ以上の回動が規制される。この状態では、鉤部材６１１，６１２は、その前端側が上に、後端側が下となるよう傾いた状態となる（図２４参照）。
【０１２２】
従って、鉤部材６１１，６１２の回動変位範囲のうち、鉤部材６１１，６１２が下規制突起６４７，６４８に当接する位置が、本実施形態における鉤部施錠側特定位置（基準位置）に相当する。これに対し、鉤部材６１１，６１２が上規制突起６４９，６５０に当接する位置が鉤部解錠側特定位置に相当する。
【０１２３】
一方、第２摺動杆６２０は、通常時、コイルばねＣ２の引張力によって、図７等に示すような基準位置において保持されている。この状態で、第２摺動杆６２０は、突起片６２１，６２２が挿通孔６２３，６２４の上縁部に付勢されることにより、上方への動作が抑えられた状態となっている。また、この状態では、上述したように第２突起片６２２がリセット検出センサ６４０の両素子間に入り込んだ状態となっている。そして、第２摺動杆６２０の下方への摺動変位があった場合には、第２突起片６２２がリセット検出センサ６４０の両素子間から抜け出した状態となる。
【０１２４】
さて、取付板６０２の幅広部６０２ａには、錠部材としてのシリンダ錠７００が取付けられている。図１９に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１２５】
シリンダ錠７００は、取付板６０２の取付孔６０２ｂに対しシリンダ本体７０１を挿通した状態で、フランジ部７０５を取付板６０２の背面側にネジ６９９により固定されている。
【０１２６】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１２７】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１２８】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図２０に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１２９】
また、錠軸７０３の後端部には、鍵穴７０２に挿入された鍵Ｋの回動動作を第１摺動杆６１０又は第２摺動杆６２０に伝達するカム板７２０が固定されている。
【０１３０】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。
【０１３１】
これに合わせて、第１摺動杆６１０の膨出部６１０ａには、係合爪７２０ａ，７２０ｂが出入可能な上下一対の上係合孔７２５及び下係合孔７２６が形成されている。同様に、第２摺動杆６２０の上片部６２０ａには、係合爪７２０ａ，７２０ｂが出入可能な上下一対の上係合孔７２７及び下係合孔７２８が形成されている。また、支持板６０３の膨出部６０３ａには、係合爪７２０ａ，７２０ｂの動作を妨げないように透孔７３０が形成されている。
【０１３２】
第１摺動杆６１０の係合孔７２５，７２６及び第２摺動杆６２０の係合孔７２７，７２８は、第１摺動杆６１０の膨出部６１０ａ及び第２摺動杆６２０の上片部６２０ａの重畳状態にあっては、少なくとも上係合孔７２５，７２７同士、及び、下係合孔７２６，７２８同士が連通状態となっている（図２１参照）。
【０１３３】
なお、第１摺動杆６１０側では、両係合孔７２５，７２６のうち上方に位置する上係合孔７２５の方が、下係合孔７２６よりも、上下方向の形成区間が長めに設定されている。これに対し、第２摺動杆６２０側では、両係合孔７２７，７２８のうち下方に位置する下係合孔７２８の方が、上係合孔７２７よりも、上下方向の形成区間が長めに設定されている。これは、後述するように第１摺動杆６１０又は第２摺動杆６２０の一方をカム板７２０が摺動させる際に、他方に上係合爪７２０ａ又は下係合爪７２０ｂを接触させないようにして、他方を摺動させないようにするためである。
【０１３４】
上記構成のもと、シリンダ錠７００の鍵穴７０２に鍵Ｋが挿し込まれていない状態で、錠軸７０３及びカム板７２０が基準位置にある場合には、図２１（ａ）に示すように、上係合爪７２０ａの先端が、第１摺動杆６１０及び第２摺動杆６２０の上係合孔７２５，７２７に非挿通状態となるとともに、下係合爪７２０ｂの先端が、第１摺動杆６１０及び第２摺動杆６２０の下係合孔７２６，７２８に非挿通状態となる。
【０１３５】
また、第１摺動杆６１０には、下係合孔７２６の下縁部から前面扉１２外方側へ向けて突出したストッパ部７３１が設けられている。このストッパ部７３１は、前面扉１２の閉鎖状態において、第１摺動杆６１０がカム板７２０以外の力によって解錠方向（上方）に動かされた場合、例えば鍵Ｋを用いずに第１摺動杆６１０に対し線材等を不正に引っ掛けて、解錠方向への外力がかけられた場合に、カム板７２０の下係合爪７２０ｂに当接することにより、第１摺動杆６１０の解錠方向への摺動を阻止し、不正解錠を防止するものである。
【０１３６】
上述したように、本実施形態のシリンダ錠７００は、鍵穴７０２に鍵Ｋの挿入がない場合には錠軸７０３及びカム板７２０を回動させることができない状態（ロック状態）となる。そのため、ストッパ部７３１がカム板７２０の下係合爪７２０ｂに引っ掛かった場合でも、カム板７２０は回動せず、第１摺動杆６１０の上方への摺動変位、ひいては鉤部材６１１，６１２の解錠方向への変位は、遊び幅を除き実質的に規制される。従って、シリンダ錠７００やストッパ部７３１などにより、本実施形態における鉤部規制手段が構成される。
【０１３７】
また、支持板６０３には、上側の鉤部材６１１の上方位置において可動係合部規制手段（規制部材）としてのロック部材６６０が設けられている。ロック部材６６０は、前面扉１２の閉鎖状態において、不正な解錠操作による支持金具８００側の受け金具８０３の摺動変位を規制し、当該受け金具８０３を基準位置に維持することによって、前面扉１２の不正解錠を防止するためのものである。
【０１３８】
ロック部材６６０は、縦長で略平板状の本体片部６６０ａを備えている。本体片部６６０ａには、その上部に軸孔６６０ｂが形成されるとともに、下部にガイド孔６６０ｃが形成されている。ガイド孔６６０ｃは、軸孔６６０ｂを中心にとって略円弧状に形成されている。そして、前面扉１２外方側からこれら軸孔６６０ｂ，ガイド孔６６０ｃに対しそれぞれ差し込まれた軸ピン６６３，６６４が支持板６０３に固定されている。これにより、ロック部材６６０は、軸孔６６０ｂ（軸ピン６６３）を中心として回動変位可能に軸支されている。
【０１３９】
本体片部６６０ａの上部後縁には、前面扉１２外方側へ向けて突出したフック部６６０ｄが設けられている。そして、このフック部６６０ｄに規制部材付勢手段としてのコイルばねＣ３の一端が掛けられるとともに、他端が、取付板６０２に設けられたフック部６６５に掛けられている。通常時、ロック部材６６０は、コイルばねＣ３の引張力により上部が前方へ引っ張られることにより、下部が後方へ付勢された状態となっている。この状態において、ロック部材６６０は、ガイド孔６６０ｃの前縁部が軸ピン６６４に当接した状態となり、図２３に示すような基準姿勢をとる。この位置（状態）が本実施形態におけるロック部材６６０の第１位置（第１状態）に相当する。なお、ガイド孔６６０ｃの大きさ（形成範囲）は、少なくともロック部材６６０が、前記基準姿勢をとる位置から、後述するように受け金具８０３に押されて回動し、鉤部材６１１の頭部６１１ｂの上端部が受け金具８０３の係合部８０３ｆを越える位置まで変位可能な大きさとなっている。
【０１４０】
本体片部６６０ａの下端部には、前面扉１２外方側へ向けて突出したストッパ部６６０ｅが設けられている。後述するように、このストッパ部６６０ｅが支持金具８００側の受け金具８０３の摺動変位を規制する機能を果たす。
【０１４１】
また、支持板６０３の後縁部には、ロック部材６６０に対応する位置において、前面扉１２外方側へ向けて突出したリブ６６７が設けられている。このリブ６６７は、後述する開放検知スイッチ８２０に接触する被検知部としての機能を備えるとともに、基枠６０１内側への線材等の侵入を防ぎ、ロック部材６６０等に対する不正な解錠操作を防ぐ機能などを備えている。
【０１４２】
また、支持板６０３の下端部には、合成樹脂製のカバー部材６７０がネジ６９８により固定されている。カバー部材６７０は、その後端下部がＲ形状となっている。これは、前面扉１２を筐体１１に対して閉鎖する際に、支持板６０３が底板１１ｂと衝突するのを防ぎ、前面扉１２をスムーズに閉鎖させるための工夫である。
【０１４３】
次に支持金具８００について図７〜図１０及び図１５〜図１８を参照して詳細に説明する。図１５は支持金具８００の左側面図であり、図１６は正面図であり、図１７は右側面図であり、図１８は背面図である。
【０１４４】
支持金具８００は、筐体１１の右側板１１ｅ内側に固定される取付部としての縦長の取付板８０１を備えている。
【０１４５】
取付板８０１の前縁部は、その略全域が筐体１１外方側に向け屈曲形成されている。これは、前面扉１２を筐体１１に対して閉鎖する際に、施錠装置６００が取付板８０１の前縁部に引っ掛かることなく、前面扉１２をスムーズに閉鎖させるための工夫である。
【０１４６】
取付板８０１には、上記施錠装置６００の鉤部材６１１，６１２と係合する上下一対の受け金具８０３，８０４が設けられている。
【０１４７】
受け金具８０３，８０４は、取付板８０１に当接状態で配設される略平板状の本体部８０３ａ，８０４ａを備えている。受け金具８０３，８０４が本実施形態における可動係合部を構成する。
【０１４８】
本体部８０３ａ，８０４ａは、縦長の縦片部８０３ｂ，８０４ｂと、当該縦片部８０３ｂ，８０４ｂの上端部から前方に向け延出した上片部８０３ｃ，８０４ｃと、縦片部８０３ｂ，８０４ｂの下端部から前方に向け延出した下片部８０３ｄ，８０４ｄとを備えており、全体としては前方に向け凹となる側面視略コ字状に形成されている。
【０１４９】
縦片部８０３ｂ，８０４ｂの略中央部にはガイド孔８０３ｅ，８０４ｅが形成されている。ガイド孔８０３ｅ，８０４ｅは、上下方向に延びる長孔状となっている。そして、筐体１１内方側からガイド孔８０３ｅ，８０４ｅに対しそれぞれ差し込まれた軸ピン８０５，８０６が取付板８０１に固定されている。これにより、受け金具８０３，８０４は上下方向に摺動可能となる。受け金具８０３，８０４の摺動範囲のうち、ガイド孔８０３ｅ，８０４ｅの上縁部が軸ピン８０５，８０６に当接する位置が、本実施形態における係合部施錠側特定位置に相当し、ガイド孔８０３ｅ，８０４ｅの下縁部が軸ピン８０５，８０６に当接する位置が係合部解錠側特定位置に相当する。
【０１５０】
縦片部８０３ｂ，８０４ｂの前縁部には、筐体１１内方側へ向け突出した係合部８０３ｆ，８０４ｆが設けられている。この係合部８０３ｆ，８０４ｆに鉤部材６１１，６１２が係止されることとなる。
【０１５１】
上片部８０３ｃ，８０４ｃの前端部には、筐体１１内方側へ向け突出した突起片８０３ｇ，８０４ｇが設けられている。このうち、上側の受け金具８０３の突起片８０３ｇは、後述するように上記ロック部材６６０と係り合う作用部として機能することとなる。
【０１５２】
縦片部８０３ｂ，８０４ｂの下部にはフック部８０３ｈ，８０４ｈが設けられている。そして、このフック部８０３ｈ，８０４ｈに可動係合部付勢手段としてのコイルばねＣ４，Ｃ５の一端が掛けられるとともに、他端が、取付板８０１に設けられたフック部８０７，８０８に掛けられている。コイルばねＣ４，Ｃ５の引張力により、通常時、受け金具８０３，８０４は下方へ付勢されている。
【０１５３】
また、取付板８０１には、受け金具８０３，８０４の下方位置において規制突起８０９，８１０が設けられている。従って、受け金具８０３，８０４は、通常時、下端部が規制突起８０９，８１０に当接した基準位置にて保持された状態となる（図１５参照）。また、この状態では、ガイド孔８０３ｅ，８０４ｅの上縁部が軸ピン８０５，８０６に当接した状態となっている。
【０１５４】
一方、取付板８０１の後縁部には、受け金具８０３，８０４及びコイルばねＣ４，Ｃ５に対応した上下方向所定区間において、筐体１１内方側へ向け突出したフランジ部８１１，８１２が設けられている。これに対し、取付板８０１の前後方向略中央部には、係合部８０３ｆ，８０４ｆに対応して、自身の一部を切欠くようにして筐体１１内方側へ向け屈曲形成されたリブ８１３，８１４が設けられている。
【０１５５】
フランジ部８１１，８１２やリブ８１３，８１４ｇは、受け金具８０３，８０４の取付状態の安定性を高める機能とともに、受け金具８０３，８０４の摺動動作の安定性を高めるガイド部としての機能を備えている。従って、受け金具８０３，８０４は、フランジ部８１１，８１２やリブ８１３，８１４ｇにより前後方向（図１５左右方向）への動きを規制され、かつ、軸ピン８０５，８０６との係合により左右方向（図１６左右方向）への動きを規制されつつ、上下方向へ摺動できるようになっている。また、リブ８１３，８１４は、鉤部材６１１，６１２が係合部８０３ｆ，８０４ｆに係合する際に当該係合部８０３ｆ，８０４ｆを支える支持手段としての機能を備えている。つまり、リブ８１３，８１４により係合部分の剛性を高め、鉤部材６１１，６１２及び係合部８０３ｆ，８０４ｆの係合状態、ひいては前面扉１２の施錠状態の安定性を高めることができる。従って、本実施形態では、前記効果をより確実にするため、左右方向における鉤部材６１１，６１２の係合位置が、リブ８１３，８１４と係合部８０３ｆ，８０４ｆとの重畳範囲内に収まるように設定されている。
【０１５６】
また、取付板８０１の後縁部には、上側の受け金具８０３の上方位置において、筐体１１内方側へ向け突出した取付基部８１９が設けられている。この取付基部８１９には開放検知スイッチ８２０が取付けられている。
【０１５７】
開放検知スイッチ８２０は、スイッチ部８２０ａが前方に向くように取付けられている。かかる構成により、前面扉１２の閉鎖状態においては、このスイッチ部８２０ａが施錠装置６００側のリブ６６７に押圧されることによって、スイッチ本体内へ没入した状態となっている（図２２参照）。一方、前面扉１２が開放状態となった場合には、施錠装置６００側のリブ６６７から離間することにより、スイッチ部８２０ａがスイッチ本体から突出した状態となる（図１５参照）。
【０１５８】
開放検知スイッチ８２０は、スイッチ部８２０ａが突出状態にある場合にはオン信号を出力し、スイッチ部８２０ａが没入状態にある場合にはオフ信号を出力する。つまり、前面扉１２が開放状態となると、開放検知スイッチ８２０から主制御装置１３１に対しオン信号が出力される。主制御装置１３１は、このオン信号に基づいて、前面扉１２の開放があった旨を把握する。
【０１５９】
次に、施錠装置６００及び支持金具８００の作用について詳しく説明する。図２２に示すように施錠装置６００及び支持金具８００の施錠状態においては、第１摺動杆６１０が基準位置をとることにより、図２３に示すように、鉤部材６１１，６１２が受け金具８０３，８０４の係合部８０３ｆ，８０４ｆの背面側にて係止され、前面扉１２の開放が規制されている。
【０１６０】
前面扉１２が筐体１１に施錠された状態では、上側の受け金具８０３の上方への摺動が、ロック部材６６０により規制されている。より詳しくは、受け金具８０３の突起片８０３ｇの直上に、ロック部材６６０のストッパ部６６０ｅが位置しており、これに接触することにより、受け金具８０３の上方への摺動が、遊び幅を除き実質的に規制される。つまり、受け金具８０３がロック部材６６０のストッパ部６６０ｅに当接する位置が、施錠状態における受け金具８０３の変位限度位置となる。
【０１６１】
また、前面扉１２の閉鎖状態においては、上述したように、シリンダ錠７００のカム板７２０とストッパ部７３１との係合により、第１摺動杆６１０の上方への摺動変位、ひいては鉤部材６１１，６１２の解錠方向への変位が、遊び幅を除き実質的に規制された状態となっている。つまり、第１摺動杆６１０のストッパ部７３１が、シリンダ錠７００のカム板７２０に当接した状態における鉤部材６１１の位置が、施錠状態における鉤部材６１１の変位限度位置となる。
【０１６２】
そして、前面扉１２を開放する際には、シリンダ錠７００の鍵穴７０２に鍵Ｋを挿入し、スロットマシン１０の正面側（図１参照）から見て時計回り方向に回動させる。この操作が本実施形態における特定の操作に相当する。これにより、カム板７２０が同方向に回動して、下係合爪７２０ｂが第１摺動杆６１０の下係合孔７２６の上縁部に接触する〔図２１（ｂ）参照〕。但し、図２１（ｂ）は、スロットマシン１０の背面側から見た図であるため、カム板７２０の回動方向は反時計回り方向となっている。
【０１６３】
その後、さらにカム板７２０を回動させていくに従って、下係合爪７２０ｂがコイルばねＣ１の引張力に抗して第１摺動杆６１０を上方へ押し上げていく。この際、下係合爪７２０ｂが挿通された第２摺動杆６２０の下係合孔７２８の上部には、下係合爪７２０ｂが上方へ変位するスペースが確保されているため、第１摺動杆６１０を押し上げていく過程において、下係合爪７２０ｂが第２摺動杆６２０に当接せず、その動作が妨げられないようになっている。勿論、この場合、カム板７２０が第１摺動杆６１０を摺動させるため、ストッパ部７３１が作用することはない。
【０１６４】
第１摺動杆６１０が上方へ摺動すると、図２４に示すように、鉤部材６１１，６１２が回動し、受け金具８０３，８０４の係合部８０３ｆ，８０４ｆとの係合が解除される。つまり、鉤部材６１１，６１２と受け金具８０３，８０４とが非係合状態となる。これにより、施錠装置６００及び支持金具８００が解錠状態となり、前面扉１２の開放が許容される。従って、鉤部材６１１，６１２の頭部６１１ｂ，６１２ｂと、受け金具８０３，８０４の係合部８０３ｆ，８０４ｆとの上下方向における相対変位量が、非係合状態となるのに必要な相対変位量である。
【０１６５】
また、前面扉１２が開放された時点で、鍵Ｋを操作する手の力を緩めると、コイルばねＣ１の引張力により、第１摺動杆６１０は下方へ引き下げられ、基準位置に復帰する。これに伴い、カム板７２０及び錠軸７０３も基準位置に復帰する。
【０１６６】
上述したように、本実施形態では、シリンダ錠７００の鍵穴７０２に鍵Ｋが挿入されていない場合には、第１摺動杆６１０の摺動が規制されているが、開放状態にある前面扉１２を施錠する際には、鍵Ｋを用いることなく施錠を行うことができるよう工夫されている。
【０１６７】
より詳しくは、図２５に示すように、施錠装置６００及び支持金具８００が解錠状態となった前面扉１２の開放状態から、当該前面扉１２を閉じていくと、まず鉤部材６１１，６１２の頭部６１１ｂ，６１２ｂの傾斜部６１１ｃ，６１２ｃが受け金具８０３，８０４の係合部８０３ｆ，８０４ｆの下辺に接触する（図２６参照）。
【０１６８】
この際、上述したように第１摺動杆６１０ひいては鉤部材６１１，６１２の解錠方向への変位が、遊び幅を除き実質的に規制されているため、さらに前面扉１２を閉じていくと、図２７に示すように、鉤部材６１１，６１２はやや回動変位するものの大きくは回動変位せず、施錠状態における変位限度位置にて、やや回動した状態を維持する。このため、主として受け金具８０３，８０４がコイルばねＣ４，Ｃ５の引張力に抗して上方へ摺動することとなる。
【０１６９】
そして、上方へ摺動した上側の受け金具８０３は、図２７に示すように、上片部８０３ｃの前端部の突起片８０３ｇがロック部材６６０のストッパ部６６０ｅに前方より接触する。これにより、ロック部材６６０は、受け金具８０３に押されて回動し、下部側が後方へ変位する。つまり、前面扉１２を閉じていく際に、ロック部材６６０が邪魔にならない仕組みとなっている。なお、この位置（状態）が本実施形態におけるロック部材６６０の第２位置（第２状態）に相当する。
【０１７０】
その後、鉤部材６１１，６１２の頭部６１１ｂ，６１２ｂが受け金具８０３，８０４の係合部８０３ｆ，８０４ｆを越えると、コイルばねＣ４，Ｃ５の引張力により係合部８０３ｆ，８０４ｆが係止凹部６１１ａ，６１２ａに入り込むようにして、受け金具８０３，８０４が元の位置に戻り、鉤部材６１１，６１２の頭部６１１ｂ，６１２ｂが受け金具８０３，８０４の係合部８０３ｆ，８０４ｆに係止される（図２３参照）。従って、この際、鉤部材６１１，６１２の頭部６１１ｂ，６１２ｂと、受け金具８０３，８０４の係合部８０３ｆ，８０４ｆとの上下方向における相対変位量が、頭部６１１ｂ，６１２ｂが係合部８０３ｆ，８０４ｆを乗り越えるのに必要な相対変位量、つまり前面扉１２を閉鎖するのに必要な相対変位量である。
【０１７１】
受け金具８０３，８０４が元の位置に戻ると、ロック部材６６０も元の姿勢に戻り、ロック部材６６０のストッパ部６６０ｅが、受け金具８０３の上片部８０３ｃの突起片８０３ｇの直上位置に位置した状態となる。これにより、施錠が完了し、前面扉１２の開放が規制された状態となるとともに、ロック部材６６０により受け金具８０３の上方への摺動が、遊び幅を除き実質的に規制された状態、つまりロックがかかった状態（ロック状態）となる。
【０１７２】
次にリセット操作について詳しく説明する。前面扉１２の閉鎖状態においては、第２摺動杆６２０が基準位置をとることにより、上述したように第２突起片６２２がリセット検出センサ６４０の両素子間に入り込んだ状態となっている。
【０１７３】
そして、前面扉１２の閉鎖状態においてリセット操作を行う際には、シリンダ錠７００の鍵穴７０２に鍵Ｋを挿入し、スロットマシン１０の正面側から見て反時計回り方向に回動させる。これにより、カム板７２０が同方向に回動して、上係合爪７２０ａが第２摺動杆６２０の上係合孔７２７の上縁部に接触する〔図２１（ｃ）参照〕。但し、図２１（ｃ）は、スロットマシン１０の背面側から見た図であるため、カム板７２０の回動方向は時計回り方向となっている。
【０１７４】
その後、さらにカム板７２０を回動させていくに従って、上係合爪７２０ａがコイルばねＣ２の引張力に抗して第２摺動杆６２０を下方へ押し下げていく。この際、上係合爪７２０ａが挿通された第１摺動杆６１０の上係合孔７２５の下部には、上係合爪７２０ａが下方へ変位するスペースが確保されているため、第２摺動杆６２０を押し下げていく過程において、上係合爪７２０ａが第１摺動杆６１０に当接せず、その動作が妨げられないようになっている。
【０１７５】
第２摺動杆６２０が下方へ摺動すると、第２突起片６２２がリセット検出センサ６４０の両素子間から抜け出し、リセット検出センサ６４０がこれを検出し、後述する主制御装置１３１に対し検出信号を出力する。主制御装置１３１は、この検出信号に基づいて、リセット操作があったことを把握することができる。これにより、例えばホッパーエラー等のエラー状態のリセットを、前面扉１２を開放することなく行うことができる。
【０１７６】
そして、鍵Ｋを操作する手の力を緩めると、コイルばねＣ２の引張力により、第２摺動杆６２０は上方へ引き上げられ、基準位置に復帰する。これに伴い、カム板７２０及び錠軸７０３も基準位置に復帰する。
【０１７７】
一方、前面扉１２の開放状態においては、第１突起片６２１を手動操作して、第２摺動杆６２０を下方へ摺動させることで上記同様のリセット操作を行うことができる。上述したように本スロットマシン１０は各種データのバックアップ機能を有しており、万一停電が発生した際でも停電時の状態を保持し、停電からの復旧（復電）の際には停電時の状態に復帰できるようになっている。従って、遊技ホールの営業が終了する場合のように通常手順で電源を遮断すると遮断前の状態が記憶保持されるが、例えば第１突起片６２１を押しながら電源スイッチ１２２をオンすると、バックアップデータがリセットされるようになっている。
【０１７８】
以上詳述したように、本実施形態では、シリンダ錠７００に鍵Ｋの挿入がない場合には、カム板７２０とストッパ部７３１との係合により、第１摺動杆６１０の上方への摺動変位、ひいては鉤部材６１１，６１２の解錠方向への変位が、遊び幅を除き実質的に規制された状態となる。
【０１７９】
また、ロック部材６６０を備えることにより、前面扉１２の閉鎖状態においては、受け金具８０３の解錠方向への変位が、遊び幅を除き実質的に規制された状態となる。
【０１８０】
これにより、施錠状態において、仮に線材等を用いて鉤部材６１１や受け金具８０３に対し直接外力を加え、当該鉤部材６１１や受け金具８０３を解錠方向へ変位させて両者の係合状態を不正に解除しようとしても、両者の係合状態が維持されるため、前面扉１２の開放は許容されない。勿論、本実施形態では、施錠状態における変位限度位置まで両者を同時に変位させた場合でも、両者の係合状態が維持される構成となっているため、不正解錠に対する防御性能は非常に高い。
【０１８１】
さらに、ロック部材６６０は、鍵Ｋによる操作に応じたシリンダ錠７００の動作に連動しない構成、つまり鉤部材６１１，６１２や第１摺動杆６１０などと連動しない構成であるため、仮に鍵Ｋを用いずに線材等によって鉤部材６１１，６１２や第１摺動杆６１０に対し不正操作が行われた場合でも、この応力がロック部材６６０に伝達されることはない。つまり、鉤部材６１１，６１２や第１摺動杆６１０等に対する不正操作だけでは、解錠状態とすることはできないため、不正解錠に対する防御性能が格段に向上する。
【０１８２】
一方、鍵Ｋによりシリンダ錠７００を操作することにより、鉤部材６１１，６１２が解錠方向へ変位し、当該鉤部材６１１，６１２及び受け金具８０３，８０４の所定量以上の相対変位量が得られると、両者が非係合状態となり、前面扉１２の開放が許容される。
【０１８３】
なお、上述したようにシリンダ錠７００に鍵Ｋの挿入がない場合に鉤部材６１１，６１２の変位が規制される構成では、仮に受け金具８０３，８０４が固定されたものであると、鍵Ｋを用いずに前面扉１２を閉じようとした場合、鉤部材６１１，６１２と受け金具８０３，８０４とが衝突し、その衝撃が比較的大きいため、当該鉤部材６１１，６１２や受け金具８０３，８０４の変形や破損等といった不具合が発生するおそれがある。この点、本実施形態では、受け金具８０３，８０４が変位する構成であるため、鉤部材６１１，６１２の変位が規制された状態にあっても、鉤部材６１１，６１２及び受け金具８０３，８０４の所定量以上の相対変位量が確保されるため、上記不具合は発生しにくい。従って、前面扉１２を閉鎖する際には、鍵Ｋを用いてシリンダ錠７００を操作する必要がないため、利便性が高い。
【０１８４】
また、前面扉１２を閉鎖する際には、鉤部材６１１，６１２及び受け金具８０３，８０４が接触してそれぞれ解錠方向へ変位することにより、前面扉１２の閉鎖に必要な両者の相対変位量が得られるとともに、受け金具８０３の接触により自動的にロック部材６６０が状態変化し、鉤部材６１１及び受け金具８０３の係合後に元に戻る構成となっているため、前面扉１２を閉鎖する際のさらなる利便性の向上が図られる。
【０１８５】
加えて、鉤部材６１１，６１２及び受け金具８０３，８０４の両者が変位可能な構成となっていることにより、両者の接触時にこれら個々にかかる負荷を分散し低減することができる。結果として、鉤部材６１１，６１２等に変形や破損等の不具合が発生することを低減させることができる。一方のみを変位可能とした構成で、このような効果を得ようとした場合には、比較的付勢力の弱いコイルばねＣ１等を用いればよいが、この場合、線材等を用いた不正行為が行われると、鉤部材６１１，６１２等を解錠方向へ簡単に変位させられるおそれがある。この点、本実施形態によれば、個々のコイルばねとしては、ある程度、付勢力の強いものを用いつつも、鉤部材６１１，６１２及び受け金具８０３，８０４の両者に負荷が分散されるため、個々にかかる衝撃力を緩和することができる。
【０１８６】
なお、上述した実施形態の記載内容に限定されず、例えば次のように実施してもよい。
【０１８７】
（ａ）上記実施形態では、カム板７２０とストッパ部７３１との係合により施錠状態における鉤部材６１１，６１２の解錠方向への変位を規制したり、ロック部材６６０を備えることにより、施錠状態における受け金具８０３の解錠方向への変位を規制して、線材等を用いた不正な解錠操作によっては、鉤部材６１１及び受け金具８０３の係合が解除されない構成となっている。これに限らず、鉤部材６１１，６１２の変位を規制する規制手段、及び受け金具８０３の変位を規制する規制手段の少なくとも一方を省略した構成とすることも可能である。つまり、少なくとも鉤部材６１１，６１２及び受け金具８０３，８０４の両者が変位可能な構成とするとともに、鍵Ｋを用いずに鉤部材６１１，６１２及び受け金具８０３，８０４の一方のみを解錠方向へ変位させただけでは、両者の係合状態が解除されない構成とすれば、線材等を用いた不正な解錠操作を行おうとした場合、鉤部材６１１，６１２と受け金具８０３，８０４とにそれぞれ引っ掛けた線材等を異なる方向に操作するといった複雑な操作を要するため、不正解錠操作が困難となる。結果として、線材等を用いた不正解錠に対する防御性能は従来より格段に向上する。
【０１８８】
また、鍵Ｋを用いずに前面扉１２を閉鎖する際には、少なくとも受け金具８０３，８０４が解錠側へ変位することで、前面扉１２の閉鎖に必要な鉤部材６１１，６１２及び受け金具８０３，８０４の所定量以上の相対変位量が得られればよい。しかし、受け金具８０３の変位を規制するロック部材６６０を省略した構成の場合には、受け金具８０３，８０４が施錠状態における変位限度位置にある場合でも、前面扉１２の開放に必要な前記相対変位量が得られないようにしなければならないため、前面扉１２を閉鎖する際には鉤部材６１１，６１２もある程度変位する必要がある。
【０１８９】
（ｂ）鉤部材６１１，６１２の構成は上記実施形態に限定されるものではない。例えば、鉤部材６１１，６１２が第１摺動杆６１０に一体形成され、上下方向に摺動変位する構成を採用してもよい。
【０１９０】
（ｃ）鉤部材６１１，６１２、受け金具８０３，８０４、及びこれらに対応するロック部材６６０の数は、上記実施形態に限定されるものではない。
【０１９１】
例えば鉤部材６１１，６１２及び受け金具８０３，８０４を一対又は３対以上備えた構成としてもよい。
【０１９２】
また、上記実施形態では、上側の受け金具８０３のみに対応してロック部材６６０が設けられているが、下側の受け金具８０４にのみ対応して設けてもよいし、両受け金具８０３，８０４にそれぞれ対応して設けてもよい。不正解錠に対する防御性能の向上を図る上では、受け金具が複数ある場合には、それぞれに対応してロック部材６６０を設けることが好ましい。但し、少なくとも１つに対応して設けられていれば、不正解錠に対する防御性能を十分に発揮することはできる。特に上記実施形態のように上側の受け金具８０３に対応してロック部材６６０が設けられていれば、遊技ホール等において不正行為を行う際に、座席から立ち上がった状態で行う必要があるため、不正行為の抑止効果が高い。
【０１９３】
また、上記実施形態では、可動係合部規制手段（規制部材）としてのロック部材６６０を施錠装置６００に設けているが、前面扉１２や筐体１１など、他の部位に設けた構成としてもよい。
【０１９４】
（ｄ）受け金具８０３，８０４の構成は上記実施形態に限定されるものではない。例えば、受け金具８０３，８０４が、上下動するとともに回動変位可能な構成を採用してもよい。
【０１９５】
また、上記実施形態では、前面扉１２を閉鎖する際に、受け金具８０３，８０４は鉤部材６１１，６１２に接触することにより、解錠方向へ変位する。これに限らず、例えば前面扉１２の開閉に伴い、受け金具８０３，８０４が電気的駆動手段により変位する構成としてもよい。具体例としては、例えば開放検知スイッチ８２０や開放操作検知センサ６３０の検出結果に応じてソレノイド等を制御して、受け金具８０３，８０４を変位させる構成などが挙げられる。
【０１９６】
（ｅ）ロック部材６６０の構成は上記実施形態に限定されるものではない。例えば上記実施形態では、前面扉１２を閉鎖する際に、受け金具８０３の接触により自動的にロック部材６６０が回動変位して、鉤部材６１１及び受け金具８０３の係合後に元に戻る構成となっている。これに対し、例えば略水平方向にスライド変位するロック部材を採用してもよい。また、受け金具８０３との接触により変位するのではなく、例えば前面扉１２の開閉に伴い、電気的駆動手段により、受け金具８０３の変位を規制する第１状態と、鉤部材６１１及び受け金具８０３が係合状態となるのを許容する第２状態とに変化可能な構成としてもよい。具体例としては、例えば開放検知スイッチ８２０や開放操作検知センサ６３０の検出結果に応じてソレノイド等を制御して、ロック部材を変位させる構成などが挙げられる。また、このような構成を採用した場合には、鍵Ｋを用いない不正な解錠操作などによっては前記ソレノイドやロック部材などが変位しないように、当該ソレノイドやロック部材などの動きを規制する構成を備えることが好ましい。例えば、ソレノイドの励磁・非励磁により駆動するプランジャ又は当該プランジャに連動するリンク部材を介してのみロック部材が変位可能となり、ロック部材に線材等を引っ掛けてロック部材を不正に変位させようとした場合にはプランジャやリンク部材等により規制されロック部材が変位しない構成例が一例として挙げられる。さらに、前記プランジャやリンク部材に線材等を引っ掛けることができないようにソレノイドを覆うカバー部材などを設けることで不正行為に対する防御性能を高めることができる。
【０１９７】
（ｆ）上記実施形態のシリンダ錠７００は、鍵Ｋの挿入がない場合にはロック状態となり、カム板７２０が変位不能となる。そして、ロック状態にあるカム板７２０とストッパ部７３１との係合により、第１摺動杆６１０の上方への摺動変位、ひいては鉤部材６１１，６１２の解錠方向への変位が規制される。これに限らず、シリンダ錠７００と異なるシリンダ錠を採用してもよい。例えば、鍵Ｋの非挿入状態でもカム板７２０が変位不能とならないシリンダ錠を採用してもよい。但し、この場合には、鍵Ｋを用いずに鉤部材６１１，６１２や第１摺動杆６１０に対して直接行われる不正な解錠操作に対して防御制御を高めるため、鉤部材６１１，６１２又は第１摺動杆６１０の変位を規制する他の規制手段を備えることが好ましい。勿論、受け金具８０３，８０４との兼ね合いによっては、規制手段を設けることなく、施錠時において、鍵Ｋを用いない不正な解錠操作が行われた場合でも受け金具８０３，８０４との係合状態が解除されない構成とすることができる。
【０１９８】
勿論、錠部材はシリンダ錠に限定されるものではなく、この他、カードキーのような鍵を用いて操作されるものであってもよい。
【０１９９】
（ｇ）上記実施形態では、スロットマシン１０について具体化した例を示したが、パチンコ機や、スロットマシンとパチンコ機とを融合した形式の遊技機など他の遊技機に適用してもよい。
【符号の説明】
【０２００】
１０…スロットマシン、１１…筐体、１２…前面扉、６００…施錠装置、６１０…第１摺動杆、６１１，６１２…鉤部材、６６０…ロック部材、７００…シリンダ錠、８００…支持金具、８０３，８０４…受け金具、８０３ｆ，８０４ｆ…係合部。
【図１】
0005472439.tif 000002
【図２】
0005472439.tif 000003
【図３】
0005472439.tif 000004
【図４】
0005472439.tif 000005
【図５】
0005472439.tif 000006
【図６】
0005472439.tif 000007
【図７】
0005472439.tif 000008
【図８】
0005472439.tif 000009
【図９】
0005472439.tif 000010
【図１０】
0005472439.tif 000011
【図１１】
0005472439.tif 000012
【図１２】
0005472439.tif 000013
【図１３】
0005472439.tif 000014
【図１４】
0005472439.tif 000015
【図１５】
0005472439.tif 000016
【図１６】
0005472439.tif 000017
【図１７】
0005472439.tif 000018
【図１８】
0005472439.tif 000019
【図１９】
0005472439.tif 000020
【図２０】
0005472439.tif 000021
【図２１】
0005472439.tif 000022
【図２２】
0005472439.tif 000023
【図２３】
0005472439.tif 000024
【図２４】
0005472439.tif 000025
【図２５】
0005472439.tif 000026
【図２６】
0005472439.tif 000027
【図２７】
0005472439.tif 000028